(57)【要約】【課題】  リムレス眼鏡用レンズに対してフレームを片側２点留めするための２孔加工を正確かつ効率的に行えるだけでなく、２孔の配置や間隔が異なる多様な加工バリエーションに対応することができ、しかも、装置コストも安価に抑えられるリムレス眼鏡用レンズ加工装置を提供すること。【解決手段】  レンズ固定台１と；ドリル装置２と；ドリル位置調節機構３と；データ記憶装置４と；モデルデータを記憶するための入力手段Ｅ1と；任意のモデルデータを選択するための入力手段Ｅ2と；基準位置を決定するための入力手段Ｅ3と；ドリル装置２を起動・停止させるための入力手段Ｅ4と；各入力手段や選択されたモデルデータ、ドリルビット21の位置情報に基いてロック機構32の制御を行うロック制御プログラム及びこのプログラムを実行する中央処理装置６とからレンズ加工装置を構成した。【選択図】  図１
2014113670.tif 000002
【特許請求の範囲】
【請求項１】
レンズ(Ｌ)を固定するためのレンズ固定台(１)と；このレンズ固定台(１)に固定されたレンズ(Ｌ)の上方にドリルビット(21)が配置され、かつ、このドリルビット21を昇降せしめる可動部を備えたドリル装置(２)と；このドリル装置(２)のドリルビット(21)を、レンズ(Ｌ)の面方向にスライドさせて位置調整するための機構であって、Ｘ・Ｙ軸方向のスライドガイド(31)(31)とロック機構(32)を備えたドリル位置調節機構(３)と；レンズ(Ｌ)のブリッジ(Ｂ)取付け側、或いはテンプル(Ｔ)取付け側のサイドに並べて配置する第一止着孔(Ｈ1)と第二止着孔(Ｈ2)の基準位置からの距離をワンセットで含むモデルデータが記憶されるデータ記憶装置(４)と；データ記憶装置(４)にモデルデータを記憶するための入力手段(Ｅ1)と；データ記憶装置(４)に記憶された複数のモデルデータから任意のモデルデータを選択するための入力手段(Ｅ2)と；レンズ上縁部の基準位置(Ｔ)及びレンズ側縁部の基準位置(Ｓ)を決定するための入力手段(Ｅ3)と；ドリル装置(２)を起動・停止させるための入力手段(Ｅ4)と；これらの各入力手段や選択されたモデルデータ、ドリルビット(21)の位置情報に基いてロック機構(32)の制御を行うロック制御プログラム及びこのプログラムを実行する中央処理装置(６)とを含んで成り、
前記モデルデータには、レンズ上縁部の基準位置(Ｔ)から第一止着孔(Ｈ1)までのＹ軸方向の距離、レンズ側縁部の基準位置(Ｓ)から第一止着孔(Ｈ1)までのＸ軸方向の距離、およびレンズ側縁部の基準位置(Ｓ)又は第一止着孔(Ｈ1)の位置から第二止着孔(Ｈ2)までのＸ軸方向の距離が含まれると共に、
前記ロック制御プログラムには、レンズ上縁部の基準位置(Ｔ)を決定したとき、データ記憶装置(４)から中央処理装置(６)に第一止着孔(Ｈ1)までのＹ軸方向の距離を読み込むプログラムと；ドリルビット(21)をレンズ上縁部を始点として読み込んだＹ軸方向の距離だけ移動させたとき、ロック機構(32)にドリルビット(21)のＹ軸方向の動きをロックする指令を出すプログラムと；
レンズ側縁部の基準位置(Ｓ)を決定したとき、データ記憶装置(４)から中央処理装置(６)に第一止着孔(Ｈ1)までのＸ軸方向の距離を読み込むプログラムと；ドリルビット(21)をレンズ側縁部を始点として読み込んだＸ軸方向の距離だけ移動させたとき、ロック機構(32)にドリルビット(21)のＸ軸方向の動きをロックする指令を出すプログラムと；
第一止着孔(Ｈ1)の位置でロックされたドリル装置(２)を停止させたとき、或いは第一止着孔(Ｈ1)の位置を基準位置に決定したとき、データ記憶装置(４)から中央処理装置(６)に、レンズ側縁部の基準位置(Ｓ)又は第一止着孔(Ｈ1)の位置から第二止着孔(Ｈ2)までのＸ軸方向の距離を読み込むと共に、ロック機構(32)にドリルビット(21)のロックを解除する指令を出すプログラムと；ドリルビット(21)を第一止着孔(Ｈ1)を始点として読み込んだＸ軸方向の距離だけ移動させたとき、ロック機構(32)にドリルビット(21)のＸ軸方向の動きをロックする指令を出すプログラムとが少なくとも備えられていることを特徴とするリムレス眼鏡用レンズ加工装置。
【請求項２】
データ記憶装置(４)に、レンズ(Ｌ)の第一止着孔(Ｈ1)と第二止着孔(Ｈ2)が設けられるサイドと反対側のサイドに設けられる第三止着孔(Ｈ3)及び第四止着孔(Ｈ4)の基準位置からの距離をワンセットで含むモデルデータが記憶されると共に、
前記モデルデータには、レンズ上縁部の基準位置(Ｔ)から第三止着孔(Ｈ3)までのＹ軸方向の距離、レンズ側縁部の基準位置(Ｓ)から第三止着孔(Ｈ3)までのＸ軸方向の距離、及びレンズ側縁部の基準位置(Ｓ)又は第三止着孔(Ｈ3)の位置から第四止着孔(Ｈ4)までのＸ軸方向の距離が含まれ、
更にロック制御プログラムには、第二止着孔(Ｈ2)の位置でロックされたドリル装置(２)を停止させたとき、データ記憶装置(４)から中央処理装置(６)にレンズ上縁部の基準位置(Ｔ)から第三止着孔(Ｈ3)までのＹ軸方向の距離を読み込むと共に、ロック機構(32)にドリルビット(21)のロックを解除する指令を出すプログラムと；ドリルビット(21)を第三止着孔(Ｈ3)を始点として読み込んだＹ軸方向の位置まで移動させたとき、ロック機構(32)にドリルビット(21)のＹ軸方向の動きをロックする指令を出すプログラムと；
レンズ側縁部の基準位置(Ｓ)を決定したとき、データ記憶装置(４)から中央処理装置(６)に第三止着孔(Ｈ3)までのＸ軸方向の距離を読み込むプログラムと；ドリルビット(21)をレンズ側縁部を始点として読み込んだＸ軸方向の距離だけ移動させたとき、ロック機構(32)にドリルビット(21)のＸ軸方向の動きをロックする指令を出すプログラムと；
第三止着孔(Ｈ3)の位置でロックされたドリル装置(２)を停止させたとき、或いは第三止着孔(Ｈ3)の位置を基準位置に決定したとき、データ記憶装置(４)から中央処理装置(６)に、レンズ側縁部の基準位置(Ｓ)又は第三止着孔(Ｈ3)の位置から第四止着孔(Ｈ4)までのＸ軸方向の距離を読み込むと共に、ロック機構(32)にドリルビット(21)のロックを解除する指令を出すプログラムと；ドリルビット(21)を第三止着孔(Ｈ3)を始点として読み込んだＸ軸方向の距離だけ移動させたとき、ロック機構(32)にドリルビット(21)のＸ軸方向の動きをロックする指令を出すプログラムとが含まれていることを特徴とする請求項１記載のリムレス眼鏡用レンズ加工装置。
【請求項３】
ロック制御プログラムに、第一止着孔(Ｈ1)の位置でロックされたドリル装置(２)を停止させたとき、或いは第一止着孔(Ｈ1)の位置を基準位置に決定したとき、データ記憶装置(４)から中央処理装置(６)に、レンズ上縁部の基準位置(Ｔ)又は第一止着孔(Ｈ1)の位置から第二止着孔(Ｈ2)までのＹ軸方向の距離を読み込むと共に、ロック機構(32)にドリルビット(21)のロックを解除する指令を出すプログラムと；ドリルビット(21)を第一止着孔(Ｈ1)を始点として読み込んだＹ軸方向の距離だけ移動させたとき、ロック機構(32)にドリルビット(21)のＸ軸方向の動きをロックする指令を出すプログラムとが含まれていることを特徴とする１または２に記載のリムレス眼鏡用レンズ加工装置。
【請求項４】
ドリル位置調節機構(３)のロック機構(32)が、ドリルビット(21)に固定された電磁石(32a)と、Ｘ・Ｙ軸のスライドガイド(31)(31)に沿って配設された強磁性板(32b)とから成り、制御装置(61)からの指令に従い前記電磁石(32a)を励磁して、この電磁石(32a)に強磁性板(32b)を吸着させることでドリルビット(21)の動きをロック可能であることを特徴とする請求項１〜３の何れか一つに記載のリムレス眼鏡用レンズ加工装置。
【発明の詳細な説明】
【技術分野】
【０００１】
本発明は、レンズ加工装置の改良、詳しくは、リムレス眼鏡用レンズに対してフレームを片側２点留めするための２孔加工を正確かつ効率的に行えるだけでなく、２孔の配置や間隔が異なる多様な加工バリエーションに対応することができ、しかも、装置コストも安価に抑えられるリムレス眼鏡用レンズ加工装置に関するものである。
【背景技術】
【０００２】
周知のとおり、眼鏡フレームには、フルリム型やハーフリム型のフレームだけでなく、ブリッジとヨロイをレンズに直接固定するリムレス型のフレームも存在するが、リムレス型のフレームは、レンズに一点で固定すると固定部分が回転してフレームの角度が変わってしまうため、フレームの空回りが起こらない固定方法を採用する必要がある。
【０００３】
そして、上記フレームの空回りを防止する方法としては、レンズに楕円型の止着孔を設ける方法や、レンズ外周面に当接させるツメ部をフレームに設ける方法が公知となっているが、前者の方法は、レンズの孔開け加工の難度が高くなる欠点があり、また後者の方法についても、ツメ部の形状に合ったレンズしか選べないという欠点がある。
【０００４】
また他にも、リムレス眼鏡では、レンズ両側に止着孔を二つずつ設けて二点でフレームを固定する方法も採用されており、この方法であれば、レンズの孔開け加工が容易になるだけでなく、２孔の間隔を予め決めておくことで、同じ型のフレーム(またはレンズ)に様々な形状のレンズ(またはフレーム)を取り付けることも可能となる。
【０００５】
そこで、従来においては、上記フレームを固定する２孔をレンズに穿設するためのドリル装置も開発されているが(特許文献１,２参照)、これらは、玉摺機としての機能やレンズ形状の測定機能を備えた非常に高価な装置であるため、販売量が多い小売店しか購入することができないというコストパフォーマンスの面での難点がある。
【０００６】
しかも、上記ドリル装置では、入力された各孔の座標位置にドリルビットが自動的に移動し、全ての孔開けが終わるまで連続的に加工が行われるため、加工を中断して孔の位置を途中で変更するといった操作を行うことができない。また、数値入力が誤っていた場合でも加工が終わった後にしかそのミスを発見できないため、入力ミスの修正も難しい。
【０００７】
他方、上記レンズの孔開け加工に使用する道具としては、穿孔具による孔開け作業を容易に行えるようにする治具も開発されているが(特許文献１)、このような治具を用いた方法では、正確な位置に孔開けを行うことが難しいだけでなく、レンズ形状や加工パターンごとに治具を個別に用意する必要があるため、準備に手間がかかる。
【０００８】
また、本件出願人も、以前にレンズの孔開けを行うドリル装置を開発しているが(特許文献４参照)、この装置では、１孔ずつの加工が前提となっているため、２孔の孔開け加工を効率的に行うことができない。またこの装置では、位置座標の登録も１孔ずつ行う必要があるため、２孔加工のバリエーションが多いと管理や選択が難しくなる。
【先行技術文献】
【特許文献】
【０００９】
【特許文献１】特開２００５−２３８３７８号公報
【特許文献２】特開２００７−２２９８６２号公報
【特許文献３】特開２００５−１４１１３号公報
【特許文献４】特開２００８−９６５５８号公報
【発明の概要】
【発明が解決しようとする課題】
【００１０】
そこで本発明は、上記の如き問題に鑑みて為されたものであり、その目的とするところは、リムレス眼鏡用レンズに対してフレームを片側２点留めするための２孔加工を正確かつ効率的に行えるだけでなく、２孔の配置や間隔が異なる多様な加工バリエーションに対応することができ、しかも、装置コストも安価に抑えられるリムレス眼鏡用レンズ加工装置を提供することにある。
【課題を解決するための手段】
【００１１】
本発明者が上記課題を解決するために採用した手段を添付図面を参照して説明すれば次のとおりである。
【００１２】
即ち、本発明は、レンズＬを固定するためのレンズ固定台１と；このレンズ固定台１に固定されたレンズＬの上方にドリルビット21が配置され、かつ、このドリルビット21を昇降せしめる可動部を備えたドリル装置２と；このドリル装置２のドリルビット21を、レンズＬの面方向にスライドさせて位置調整するための機構であって、Ｘ・Ｙ軸方向のスライドガイド31・31とロック機構32を備えたドリル位置調節機構３と；レンズＬのブリッジＢ取付け側、或いはテンプルＴ取付け側のサイドに並べて配置する第一止着孔Ｈ1と第二止着孔Ｈ2の基準位置からの距離をワンセットで含むモデルデータが記憶されるデータ記憶装置４と；データ記憶装置４にモデルデータを記憶するための入力手段Ｅ1と；データ記憶装置４に記憶された複数のモデルデータから任意のモデルデータを選択するための入力手段Ｅ2と；レンズ上縁部の基準位置Ｔ及びレンズ側縁部の基準位置Ｓを決定するための入力手段Ｅ3と；ドリル装置２を起動・停止させるための入力手段Ｅ4と；これらの各入力手段や選択されたモデルデータ、ドリルビット21の位置情報に基いてロック機構32の制御を行うロック制御プログラム及びこのプログラムを実行する中央処理装置６とからレンズ加工装置Ａを構成する一方、
前記モデルデータには、レンズ上縁部の基準位置Ｔから第一止着孔Ｈ1までのＹ軸方向の距離、レンズ側縁部の基準位置Ｓから第一止着孔Ｈ1までのＸ軸方向の距離、およびレンズ側縁部の基準位置Ｓ又は第一止着孔Ｈ1の位置から第二止着孔Ｈ2までのＸ軸方向の距離を含めると共に、
前記ロック制御プログラムに、レンズ上縁部の基準位置Ｔを決定したとき、データ記憶装置４から中央処理装置６に第一止着孔Ｈ1までのＹ軸方向の距離を読み込むプログラムと；ドリルビット21をレンズ上縁部を始点として読み込んだＹ軸方向の距離だけ移動させたとき、ロック機構32にドリルビット21のＹ軸方向の動きをロックする指令を出すプログラムと；
レンズ側縁部の基準位置Ｓを決定したとき、データ記憶装置４から中央処理装置６に第一止着孔Ｈ1までのＸ軸方向の距離を読み込むプログラムと；ドリルビット21をレンズ側縁部を始点として読み込んだＸ軸方向の距離だけ移動させたとき、ロック機構32にドリルビット21のＸ軸方向の動きをロックする指令を出すプログラムと；
第一止着孔Ｈ1の位置でロックされたドリル装置２を停止させたとき、或いは第一止着孔Ｈ1の位置を基準位置に決定したとき、データ記憶装置４から中央処理装置６に、レンズ側縁部の基準位置Ｓ又は第一止着孔Ｈ1の位置から第二止着孔Ｈ2までのＸ軸方向の距離を読み込むと共に、ロック機構32にドリルビット21のロックを解除する指令を出すプログラムと；ドリルビット21を第一止着孔Ｈ1を始点として読み込んだＸ軸方向の距離だけ移動させたとき、ロック機構32にドリルビット21のＸ軸方向の動きをロックする指令を出すプログラムとを備えて構成した。
【００１３】
また更に、データ記憶装置４に、レンズＬの第一止着孔Ｈ1と第二止着孔Ｈ2が設けられるサイドと反対側のサイドに設けられる第三止着孔Ｈ3及び第四止着孔Ｈ4の基準位置からの距離をワンセットで含むモデルデータを記憶させる場合には、
前記モデルデータに、レンズ上縁部の基準位置Ｔから第三止着孔Ｈ3までのＹ軸方向の距離、レンズ側縁部の基準位置Ｓから第三止着孔Ｈ3までのＸ軸方向の距離、及びレンズ側縁部の基準位置Ｓ又は第三止着孔Ｈ3の位置から第四止着孔Ｈ4までのＸ軸方向の距離を含めると共に、
ロック制御プログラムに、第二止着孔Ｈ2の位置でロックされたドリル装置２を停止させたとき、データ記憶装置４から中央処理装置６にレンズ上縁部の基準位置Ｔから第三止着孔Ｈ3までのＹ軸方向の距離を読み込むと共に、ロック機構32にドリルビット21のロックを解除する指令を出すプログラムと；ドリルビット21を第三止着孔Ｈ3を始点として読み込んだＹ軸方向の位置まで移動させたとき、ロック機構32にドリルビット21のＹ軸方向の動きをロックする指令を出すプログラムと；
レンズ側縁部の基準位置Ｓを決定したとき、データ記憶装置４から中央処理装置６に第三止着孔Ｈ3までのＸ軸方向の距離を読み込むプログラムと；ドリルビット21をレンズ側縁部を始点として読み込んだＸ軸方向の距離だけ移動させたとき、ロック機構32にドリルビット21のＸ軸方向の動きをロックする指令を出すプログラムと；
第三止着孔Ｈ3の位置でロックされたドリル装置２を停止させたとき、或いは第三止着孔Ｈ3の位置を基準位置に決定したとき、データ記憶装置４から中央処理装置６に、レンズ側縁部の基準位置Ｓ又は第三止着孔Ｈ3の位置から第四止着孔Ｈ4までのＸ軸方向の距離を読み込むと共に、ロック機構32にドリルビット21のロックを解除する指令を出すプログラムと；ドリルビット21を第三止着孔Ｈ3を始点として読み込んだＸ軸方向の距離だけ移動させたとき、ロック機構32にドリルビット21のＸ軸方向の動きをロックする指令を出すプログラムとを含めることで、レンズＬ両側の４孔加工を効率的に行うことができる。
【００１４】
また、上記ロック制御プログラムについては、第一止着孔Ｈ1の位置でロックされたドリル装置２を停止させたとき、或いは第一止着孔Ｈ1の位置を基準位置に決定したとき、データ記憶装置４から中央処理装置６に、レンズ上縁部の基準位置Ｔ又は第一止着孔Ｈ1の位置から第二止着孔Ｈ2までのＹ軸方向の距離を読み込むと共に、ロック機構32にドリルビット21のロックを解除する指令を出すプログラムと；ドリルビット21を第一止着孔Ｈ1を始点として読み込んだＹ軸方向の距離だけ移動させたとき、ロック機構32にドリルビット21のＸ軸方向の動きをロックする指令を出すプログラムとを含めることで、第一止着孔Ｈ1の斜め横に配置された第二止着孔Ｈ2の孔開け加工にも対応することができる。
【００１５】
一方、上記ドリル位置調節機構３のロック機構32に関しては、ドリルビット21に固定された電磁石32aと、Ｘ・Ｙ軸のスライドガイド31・31に沿って配設された強磁性板32bとから構成することができ、この構成を採用すれば、制御装置61からの指令に従い前記電磁石32aを励磁して、この電磁石32aに強磁性板32bを吸着させることでドリルビット21の動きをロックすることができる。
【発明の効果】
【００１６】
本発明では、ドリル装置のデータ記憶装置に、少なくともレンズ片側に穿設する２孔の位置データをセットで記憶させると共に、一番目の孔の位置を、レンズ上縁部及びレンズ側縁部の基準位置からの距離、二番目の孔の位置を、一番目の孔の位置からの距離によって特定し、更にこれらの位置まで手動で移動させたドリルビットを、ロック制御で自動的に固定可能としたことにより、素人でも２孔加工を簡単に行うことが可能となる。
【００１７】
しかも、本発明では、二つの基準位置(レンズ上縁部及びレンズ側縁部)からのＸ軸方向及びＹ軸方向の距離を基に一番目の孔の位置を特定しているため、レンズ形状を測定しなくても孔開け加工の位置精度を充分に高めることができる。またこれによって、穿孔具と治具を用いた方法よりも正確な加工を行うことができる。
【００１８】
また、本発明のドリル装置は、ドリルビットを手動で移動させる構造を採用しているため、一つ目の孔を開けた後に加工を中断して、二つ目の孔の位置を途中で変更することもできる。また、ドリルビットを入れる位置をしっかりと目で確認しながら加工を行えるため、位置データが誤っていた場合でも、穿孔前にチェックして修正することができる。
【００１９】
そしてまた、本発明では、ドリル装置のデータ記憶装置に２孔の位置データをセットで記憶させているため、１孔ずつデータを記憶させるよりも登録データの管理を容易に行うことができる。また、加工バリエーションの増加によって、登録データ数が膨大になる心配もないため、使用者が登録データから任意のデータを容易に選択できる。
【００２０】
また他にも、本発明では、玉摺機の機能やレンズ形状の測定機能を設ける必要がないため、装置コストを安価に抑えることもできる。また、これによって導入時のコスト負担を軽減することが可能となるため、眼鏡の販売量の少ない小売店であっても比較的気軽に装置を導入することができる。
【００２１】
したがって、本発明により、小売店の店員でもレンズの孔開け加工を簡単に行うことができるだけでなく、レンズやフレームの形状に応じて加工バリエーションを増やした場合でも容易に対応できるリムレス眼鏡用レンズの加工装置を安価に提供できることから、本発明の実用的利用価値は頗る高い。
【図面の簡単な説明】
【００２２】
【図１】本発明の実施例１におけるレンズ加工装置を表わす全体斜視図である。
【図２】本発明の実施例１におけるレンズ加工装置を表わす部分拡大図である。
【図３】本発明の実施例１におけるロック制御部を表わすブロック図である。
【図４】本発明の実施例１における操作パネルを表わす部分拡大図である。
【図５】本発明の実施例１におけるモデルデータを表わす説明図である。
【図６】本発明の実施例１における入力手段を表わす説明図である。
【図７】本発明の実施例１における入力手段を表わす説明図である。
【図８】本発明の実施例１におけるドリルビットの移動手順を表わす説明図である。
【発明を実施するための形態】
【００２３】
『実施例１』
まず本発明の実施例１について、図１から図８に基いて説明する。なお同図において、符号１で指示するものは、レンズ固定台であり、符号２で指示するものは、ドリル装置である。また符号３で指示するものは、ドリル位置調節機構であり、符号４で指示するものは、データ記憶装置である。また符号５で指示するものは、操作パネルであり、符号６で指示するものは、制御装置である。
【００２４】
[レンズ加工装置の構成について]
この実施例１では、レンズ加工装置Ａを、レンズＬを固定するためのレンズ固定台１、及びこのレンズ固定台１に固定したレンズＬの上方にドリルビット21が配置され、かつ、このドリルビット21を昇降させる可動部を備えたドリル装置２、及びこのドリル装置２のドリルビット21を、固定されたレンズＬの面方向にスライドさせて位置調整するドリル位置調節機構３を含んで構成している(図１参照)。
【００２５】
また本実施例では、上記レンズ加工装置Ａに、左右レンズＬ・Ｌを二つ並べて固定できるレンズ固定台１を使用し、また、上記ドリル装置２には、可動部を利用してドリルビット21を昇降操作するためのハンドル部22を設けると共に、角度調節レバーＶによってドリルビット21の左右角度を５°単位で調節できるようにしている。
【００２６】
また、上記レンズ加工装置Ａには、ドリルビット21の前後角度を調節するための調整ダイアルＱ1、ドリルビット21の回転速度を調節するための調整ダイアルＱ2、および装置の電源スイッチＰを設けている。そしてまた、上記ドリル装置２のドリルビット21は、脱着可能に構成して任意の寸法のドリルビット21に交換できるようにしている。
【００２７】
また本実施例では、上記ドリル位置調節機構３を、Ｘ軸方向(固定したレンズＬの縦幅方向)およびＹ軸方向(固定したレンズＬの横幅方向)のスライドガイド31・31を備えた構造としている。また更に、上記ドリル位置調節機構３には、各スライドガイド31・31上でのドリル装置２の移動を強制的に停止させるロック機構32を設けている。
【００２８】
また更に本実施例では、上記ドリル位置調節機構３のロック機構32を、図２に示すようにドリルビット21に固定した電磁石32aと、Ｘ・Ｙ軸のスライドガイド31・31に沿って配設した強磁性板32bとから構成し、通電により励磁させた電磁石32aに強磁性板32bを吸着させてドリルビット21の移動をロックできるようにしている。
【００２９】
一方、上記レンズ加工装置Ａには、図３に示すように、主記憶装置41と補助記憶装置42から成るデータ記憶装置４、図４に示す入力部51と液晶表示部52を備えた操作パネル５、及び制御装置61と演算装置62を備えた中央処理装置６を設けている。また、中央処理装置６の制御装置61は、上記ドリル位置制御機構３のロック機構32に接続している。
【００３０】
なお本実施例では、上記操作パネル５の入力部51に、クリアボタン51a、モードボタン51b、リムーブボタン51c、セットボタン51d、記憶・呼出ボタン51e、ドリルon/offボタン51fを設けており、これらのボタンの押し方(普通押しと長押し)とボタンの組み合わせ、押し順によって様々な入力操作を可能としている。
【００３１】
また、上記データ記憶装置４には、レンズＬのテンプルＴ取付け側のサイドに並べて配置する第一止着孔Ｈ1と第二止着孔Ｈ2、及びブリッジＴ取付け側のサイドに並べて配置する第三止着孔Ｈ3と第四止着孔Ｈ4の位置データをモデルデータＤ1・Ｄ2…(図５参照)としてワンセットで記憶させている。
【００３２】
ちなみに、上記モデルデータＤ1・Ｄ2…の位置データには、レンズ上縁部の基準位置Ｔから第一止着孔Ｈ1までのＹ軸方向の距離、レンズ側縁部の基準位置Ｓから第一止着孔Ｈ1までのＸ軸方向の距離、および第一止着孔Ｈ1の位置から第二止着孔Ｈ2までのＸ軸方向の距離、レンズ上縁部の基準位置Ｔから第三止着孔Ｈ3までのＹ軸方向の距離、レンズ側縁部の基準位置Ｓから第三止着孔Ｈ3までのＸ軸方向の距離、及び第三止着孔Ｈ3の位置から第四止着孔Ｈ4までのＸ軸方向の距離が含まれる。
【００３３】
[入力手段について]
次に、上記モデルデータＤ1・Ｄ2…を登録するための入力手段Ｅ1を図６に基いて以下に説明する。まず、クリアボタン51aの長押しと普通押しを一度ずつ行って数値入力モードに移行する(図示せず)。その後、記憶・呼出ボタン51eの[１]を押して入力画面(表示：左側に“ＴＯＰ”,Ｙ側に点滅カーソル)に移行する(step１)。
【００３４】
次いで、上記step１後に移行した入力画面において、レンズ上縁部の基準位置Ｔから第一止着孔Ｈ1までのＹ軸方向の距離をセットボタン51dを押して入力する。その後、再度、記憶・呼出ボタン51eの[１]を押して入力値を決定する(step２)。
【００３５】
次いで、上記step２後に移行した入力画面(表示：左側に“Ｘコバ”,Ｘ側に点滅カーソル)で、レンズ側縁部の基準位置Ｓから第一止着孔Ｈ1までのＸ軸方向の距離をセットボタン51dを押して入力する。その後、step１と同様、記憶・呼出ボタン51eの[１]をもう一度押して入力値を決定する(step３)。
【００３６】
次いで、上記step３後に移行した入力画面(表示：左側に“２アナ”,Ｘ側に点滅カーソル)で、第一止着孔Ｈ1の位置から第二止着孔Ｈ2までのＸ軸方向の距離をセットボタン51dを押して入力する。その後、記憶・呼出ボタン51eの[２]を押して入力値を決定する(step４)。
【００３７】
次いで、上記step４後に移行した入力画面(表示：左側に“３アナ”,Ｙ側に点滅カーソル)で、レンズ上縁部の基準位置Ｔから第三止着孔Ｈ3までのＹ軸方向の距離をセットボタン51dを押して入力する。その後、記憶・呼出ボタン51eの[３]を押して入力値を決定する(step５)。
【００３８】
次いで、上記step５後に移行した入力画面(表示：左側に“３アナ”,Ｘ側に点滅カーソル)で、レンズ側縁部の基準位置Ｓから第三止着孔Ｈ3までのＸ軸方向の距離をセットボタン51dを押して入力する。その後、記憶・呼出ボタン51eの[３]を押して入力値を決定する(step６)。
【００３９】
次いで、上記step６後に移行した入力画面(表示：左側に“４アナ”,Ｘ側に点滅カーソル)で、第三止着孔Ｈ3の位置から第四止着孔Ｈ4までのＸ軸方向の距離をセットボタン51dを押してを入力する。その後、記憶・呼出ボタン51eの[４]を押して入力値を決定する(step７)。
【００４０】
そして最後に、上記step７後に移行した画面に表示されたモデル番号を確認した後、クリアボタン51aを押してモデルデータＤの登録を完了する(step８)。更に上記入力手段Ｅ1によるモデルデータＤ1・Ｄ2…の登録をモデルパターン毎に行ってデータ記憶装置４に記憶させる。
【００４１】
次に、上記データ記憶装置４に記憶させた複数のモデルデータＤ1・Ｄ2…から任意のモデルデータＤnを選択するための入力手段Ｅ2を図７に基いて説明する。まずクリアボタン51aの長押しを二度行ってモデルデータ選択画面に移行する。その後、セットボタン51dとリムーブボタン51cでモデルデータを選択し、クリアボタン51aを押して決定する。
【００４２】
次に、上記レンズ上縁部の基準位置Ｔ及びレンズ側縁部の基準位置Ｓを決定するための入力手段Ｅ3について説明する。まずレンズ上縁部の基準位置Ｔについては、上記入力手段Ｅ2でモデルデータＤnを選択した後、ドリルビット21をレンズ上縁部の頂点位置に合わせ、クリアボタン51aを押して決定する。
【００４３】
一方、レンズ側縁部の基準位置Ｓについては、上記レンズ上縁部の基準位置Ｔから、ドリルビット21をＸ軸方向に所定距離だけ動かしてＸ軸方向の動きロックした後、ドリルビットを第一止着孔Ｈ1に近いレンズ側縁部に合わせ、クリアボタン51aを押して決定する。
また、第三止着孔Ｈ3に近いレンズ側縁部の基準位置Ｔも同様の手順で決定する。
【００４４】
次に、上記ドリル装置２を起動・停止させるための入力手段Ｅ4について説明する。まずドリルビット21を第一止着孔Ｈ1、第二止着孔Ｈ2、第三止着孔Ｈ3、第四止着孔Ｈ4の何れかの位置に合わせて、ドリルビット21のＸ軸方向とＹ軸方向の動きをロックした後、ドリルon/offボタン51fを押してドリル装置２を起動する。また孔開け完了後は、もう一度ドリルon/offボタン51fを押してドリル装置２を停止する。
【００４５】
そして、レンズ加工装置Ａのデータ記憶装置４には、上記各入力手段Ｅや選択されたモデルデータＤn、ドリルビット21の位置情報に基いてロック機構32の制御を行うロック制御プログラムを記憶させて、このロック制御プログラムを中央処理装置６によって実行している。なお本実施例では、制御装置61からの指令で励磁させた電磁石32aに強磁性板32bを吸着させてドリルビット21のロック制御を行っている。
【００４６】
[ロック制御プログラムについて]
次に、上記ロック制御プログラムについて詳細に説明する。まずロック制御プログラムには、レンズ上縁部の基準位置Ｔを決定したとき、データ記憶装置４から中央処理装置６に第一止着孔Ｈ1までのＹ軸方向の距離を読み込むプログラムと、ドリルビット21をレンズ上縁部を始点として読み込んだＹ軸方向の距離だけ移動させたとき、ロック機構32にドリルビット21のＹ軸方向の動きをロックする指令を出すプログラムを含める。
【００４７】
また、上記ロック制御プログラムには、レンズ側縁部の基準位置Ｓを決定したとき、データ記憶装置４から中央処理装置６に第一止着孔Ｈ1までのＸ軸方向の距離を読み込むプログラムと、ドリルビット21をレンズ側縁部を始点として読み込んだＸ軸方向の距離だけ移動させたとき、ロック機構32にドリルビット21のＸ軸方向の動きをロックする指令を出すプログラムも含める。
【００４８】
そしてまた、上記ロック制御プログラムには、第一止着孔Ｈ1の位置でロックされたドリル装置２を停止させたとき、データ記憶装置４から中央処理装置６に、レンズ側縁部の基準位置Ｓ又は第一止着孔Ｈ1の位置から第二止着孔Ｈ2までのＸ軸方向の距離を読み込むと共に、ロック機構32にドリルビット21のロックを解除する指令を出すプログラムと、ドリルビット21を第一止着孔Ｈ1を始点として読み込んだＸ軸方向の距離だけ移動させたとき、ロック機構32にドリルビット21のＸ軸方向の動きをロックする指令を出すプログラムも含める。
【００４９】
また本実施例では、図５のモデル３のような第一止着孔Ｈ1と第二止着孔Ｈ2を斜めに配置するケースにも対応できるように、ロック制御プログラムに、第一止着孔Ｈ1の位置でロックされたドリル装置２を停止させたとき、データ記憶装置４から中央処理装置６に、第一止着孔Ｈ1の位置から第二止着孔Ｈ2までのＹ軸方向の距離を読み込むと共に、ロック機構32にドリルビット21のロックを解除する指令を出すプログラムと、ドリルビット21を第一止着孔Ｈ1を始点として読み込んだＹ軸方向の距離だけ移動させたとき、ロック機構32にドリルビット21のＸ軸方向の動きをロックする指令を出すプログラムも含めている。
【００５０】
また、本実施例のようにモデルデータＤに第三止着孔Ｈ3及び第四止着孔Ｈ4の基準位置からの距離を含める場合には、第二止着孔Ｈ2の位置でロックされたドリル装置２を停止させたとき、データ記憶装置４から中央処理装置６にレンズ上縁部の基準位置Ｔから第三止着孔Ｈ3までのＹ軸方向の距離を読み込むと共に、ロック機構32にドリルビット21のロックを解除する指令を出すプログラムと、ドリルビット21を第三止着孔Ｈ3を始点として読み込んだＹ軸方向の位置まで移動させたとき、ロック機構32にドリルビット21のＹ軸方向の動きをロックする指令を出すプログラムも含める。
【００５１】
また、上記ロック制御プログラムには、レンズ側縁部の基準位置Ｓを決定したとき、データ記憶装置４から中央処理装置６に第三止着孔Ｈ3までのＸ軸方向の距離を読み込むプログラムと、ドリルビット21をレンズ側縁部を始点として読み込んだＸ軸方向の距離だけ移動させたとき、ロック機構32にドリルビット21のＸ軸方向の動きをロックする指令を出すプログラムも含める。
【００５２】
また更に、上記ロック制御プログラムには、第三止着孔Ｈ3の位置でロックされたドリル装置２を停止させたとき、データ記憶装置４から中央処理装置６に、第三止着孔Ｈ3の位置から第四止着孔Ｈ4までのＸ軸方向の距離を読み込むと共に、ロック機構32にドリルビット21のロックを解除する指令を出すプログラムと、ドリルビット21を第三止着孔Ｈ3を始点として読み込んだＸ軸方向の距離だけ移動させたとき、ロック機構32にドリルビット21のＸ軸方向の動きをロックする指令を出すプログラムも含める。
【００５３】
[ドリルビットの移動手順について]
次に、ドリル加工時におけるドリルビットの移動手順を図８に基いて説明する。なお、本説明では図５のモデル２を加工対象とした場合の方法を説明する。まず入力手段Ｅ2によりモデルデータＤ2を選択した後、ドリルビット21をレンズ上縁部に移動させて入力手段Ｅ3により基準位置Ｔを決定する(ポジション[イ])。そして、ドリルビット21をロックがかかるまでＸ軸方向に動かした後(ポジション[ロ])、ドリルビット21をレンズ側縁部までＹ軸方向に動かして、入力手段Ｅ3により基準位置Ｓを決定する(ポジション[ハ])。
【００５４】
その後、ドリルビット21をロックがかかるまでＹ軸方向に動かし、ロックがかかった位置で、入力手段Ｅ4によりドリル装置２を起動させる(ポジション[二])。そして、ドリルビット21をレンズＬに向けて下降させて第一止着孔Ｈ1の穿設を行う。また、第一止着孔Ｈ1の穿設後は、入力手段Ｅ4によってドリル装置２を停止させ、ドリルビット21を元の位置まで上昇させる。
【００５５】
そして、上記ドリルビット21をレンズＬから抜いた後は、ドリルビット21をロックがかかるまでＹ軸方向に動かし、ロックがかかった位置でドリル装置２を起動して、上記第一子孔Ｈ1と同様の手順で第二止着孔Ｈ2の穿設を行う(ポジション[ホ])。
【００５６】
そして更に、上記第二止着孔Ｈ2の穿設後は、ドリルビット21をロックがかかるまでＹ軸方向に動かした後(ポジション[へ])、ドリルビット21を反対側のレンズ側縁部まで動かして、入力手段Ｅ3により基準位置Ｓを決定する(ポジション[ト])。なお、図５のモデル１が加工対象の場合には、第二止着孔Ｈ2の穿設後、そのまま反対側のレンズ側縁部までドリルビット21を移動させる。
【００５７】
その後、ドリルビット21をロックがかかるまでＹ軸方向に動かして、ロックがかかった位置で第三止着孔Ｈ3の穿設を行う(ポジション[チ])。そして最後に、ドリルビット21をロックがかかるまでＹ軸方向に動かしてロックがかかった位置で第四止着孔Ｈ4の穿設を行う(ポジション[リ])。これにより、レンズＬの両側にフレームを取り付ける４つの止着孔の孔開け加工を効率的に行うことができる。
【００５８】
また本実施例では、上記データ記憶装置４に、エンコーダから入力されたドリルビット21のＸ軸方向の移動データを正負反転させるプログラム(ミラー機能)を組み込むことによって、同じモデルデータＤを利用して、レンズ固定台１に固定された反対側のレンズＬの加工を行うこともできる。
【００５９】
本発明は、概ね上記のように構成されるが、本発明は図示の実施形態に限定されるものではなく、「特許請求の範囲」の記載内において種々の変更が可能であって、例えば、レンズ固定台１については、片方のレンズＬだけを固定する小型のものや、複数セットの左右レンズＬ・Ｌを固定できる大型のものを採用することもできる。
【００６０】
また、ドリル位置調節機３のロック機構32についても、電磁石32aと強磁性板32bを用いたマグネット式のロック機構以外にも、例えばガイドロッドをツメやコレットで掴んで固定する機械式のロック機構や、ガイド板を真空吸引して固定する負圧を利用したロック機構などを採用することもできる
【００６１】
そしてまた、モデルデータＤの登録や選択、基準位置Ｔ・Ｓを決定する入力手段Ｅについても、操作パネル５の入力部51のボタンの数を増やして入力操作を単純化することができる。また逆に、ボタンの数を減らす場合には入力操作のパターンを増やすことで対応することができる。また、入力手段Ｅを操作パネル５でなくパソコン等の外部端末を利用して行うこともできる。
【００６２】
また更に、モデルデータＤについては、必ずしも４孔の位置データがセットで含まれている必要はなく、最低でもレンズＬのテンプル取付け側、或いはブリッジ取付け側の２孔の位置データがセットで含まれていればよい。また、第二止着孔Ｈ2と第四止着孔Ｈ4のＸ軸方向の位置データについては、第一止着孔Ｈ1または第三止着孔Ｈ3からの距離でなく、レンズ側縁部の基準位置Ｓからの距離を採用することもできる。
【００６３】
また同様に、第三止着孔Ｈ3のＹ軸方向の位置データについても、レンズ上縁部の基準位置Ｔからの距離でなく、第二止着孔Ｈ2からの距離を採用することもできる。また他にも、２孔を斜めに配置する場合には、第二止着孔Ｈ2または第四止着孔Ｈ4のＹ軸方向の位置データにレンズ上縁部の基準位置Ｔからの距離でなく、第一止着孔Ｈ1または第三止着孔Ｈ3からの距離を採用することもできる。
【００６４】
また、ロック制御プログラムにおける、データ記憶装置４から中央処理装置６に、第一止着孔Ｈ1(又は第三止着孔Ｈ3)の位置から第二止着孔Ｈ2(又は第四止着孔Ｈ4)までのＹ軸方向の距離を読み込むと共に、ロック機構32にドリルビット21のロックを解除する指令を出すプログラムについては、ドリルを停止させたときでなく、第一止着孔Ｈ1(又は第三止着孔Ｈ3)の位置を基準位置に決定したときに実行されるようにしてもよい。
【００６５】
そしてまた、ロック制御プログラムに、一方のレンズＬの第四止着孔Ｈ4の孔開けが終わった後、すぐに他方のレンズＬの基準位置Ｔを入力する画面に移行するプログラムを含めることで、左右レンズＬ・Ｌの孔開け加工を一連に行えるようにしてもよく、何れのものも本発明の技術的範囲に属する。
【産業上の利用可能性】
【００６６】
近年、リムレス眼鏡は幅広い需要者から支持されているものの、フレームデザインに応じてレンズ加工を専門業者に委託しなければならなかったため、加工コストの点からフレームデザインの多様化を図ることが難しかった。そのような中で、本発明のレンズ加工装置は、レンズの孔開け加工を小売店側で簡単に行えるだけでなく、装置コストも安価に抑えられる有用な技術であるため、その産業上の利用価値は非常に高い。
【符号の説明】
【００６７】
１  レンズ固定台
２  ドリル装置
21  ドリルビット
22  ハンドル部
３  ドリル位置調節機構
31  スライドガイド
32  ロック機構
32a  電磁石
32b  強磁性板
４  データ記憶装置
41  補助記憶装置
42  主記憶装置
５  操作パネル
51  入力部
51a  クリアボタン
51b  モードボタン
51c  リムーブボタン
51d  セットボタン
51e  記憶・呼出ボタン
51f  ドリルon/offボタン
52  表示部
６  中央処理装置
61  制御装置
62  演算装置
Ａ  レンズ加工装置
Ｌ  レンズ
Ｖ  角度調節レバー
Ｈ  止着孔
Ｄ  モデルデータ
Ｔ  レンズ上縁部の基準位置
Ｓ  レンズ側縁部の基準位置
Ｅ  入力手段
Ｑ  調整ダイアル
Ｐ  電源スイッチ
【図１】
2014113670.tif 000003
【図２】
2014113670.tif 000004
【図３】
2014113670.tif 000005
【図４】
2014113670.tif 000006
【図５】
2014113670.tif 000007
【図６】
2014113670.tif 000008
【図７】
2014113670.tif 000009
【図８】
2014113670.tif 000010